(57)【要約】【課題】ソケットの構造を提供する。【解決手段】  金属片、嵌合部及び互いに固定できる座体で組み立てられ、金属片の円管部の開口フリーエンドよりそれぞれ弾片部を延伸し、各金属片を嵌合部の溝に設置する。嵌合部の内部周囲に若干の溝を設け、二つの座体の底面に、金属片のアーチ部に差込める金属の突起部を有し、且つ二つの座体の外周に嵌合部の溝に嵌合する数個の凸部を設けている。座体の頂面はそれぞれ適度な角度を成すソケットを形成し、ソケットはU字型ランプを差し込むための、数個の挿入口を有する。【選択図】  図1
0003129033.tif 000002
【実用新案登録請求の範囲】
【請求項１】
金属片、嵌合部、第1及び第2座体を備え、
前記金属片は円管部を有し、該円管部に開口部を備え、前記円管部は前記開口部の二つのフリーエンドよりそれぞれ弾片が一枚ずつ延伸し、各弾片上にはそれぞれ穴を有し、各弾片の穴は、外向きに曲折した曲折片を形成し、各弾片のフリーエンドはそれぞれアーチ部を備え、
前記嵌合部の内部周囲に若干の溝を設け、該嵌合部の内部、底面に近い部分に平面を形成し、該平面に前記金属片を固定する際に使用する若干の穴を設け、
前記第１座体の底面の各金属片の円管部に対応した場所に、それぞれ金属の突起部を設け、該金属の突起部を前記金属片のアーチ部に差込み、該第１座体の外周に数個の凸円を設け、各凸円はそれぞれ前記嵌合部の溝に嵌合し、前記第１座体のもう片側に平面部を有し、該第１座体の頂面は適度な角度をなすソケットを形成し、該ソケットはU字型ランプを差し込む数個の挿入口を有し、
前記第２座体の底面の各金属片の円管部に対応した場所に、それぞれ金属の突起部を設け、該金属の突起部を該金属片のアーチ部に差込み、該第２座体の外周に数個の凸円を設け、各凸円はそれぞれ前記嵌合部の溝に嵌合し、第２座体の前記第１座体の平面部に対応した部分にも平面部を有し、前記二つの平面は互いに支え合い、前記第２座体の頂面は適度な角度を成すソケットを形成し、該ソケットはU字型ランプを差し込む数個の挿入口を備えたことを特徴とするソケットの構造。
【請求項２】
前記金属片の円管部の外周に穴を有し、該円管部の穴は、外向きに曲折した曲折片を形成していることを特徴とする請求項1記載のソケットの構造。
【請求項３】
前記第１座体の平面部にスライドブロック及びスライド溝を設置し、該第２座体の平面部もまたスライドブロック及びスランド溝を有し、前記第１座体および第２座体はそれぞれの対応するスライドブロック及びスライド溝を使って定置に設置されることを特徴とする請求項1記載のソケットの構造。
【考案の詳細な説明】
【技術分野】
【０００１】
本考案は、ソケットの構造に係り、特に照明範囲を拡大し、照明光を集光、散光するソケットの構造に関する。
【背景技術】
【０００２】
従来のソケットの構造は、数本のＵ字型ランプに合わせて作られているが、光が外部に放射できないことが多く、囲まれた区域も内側になるが故に有効利用できない欠点がある。そのため、従来のソケットの構造では、光源の照射面積を大きくすることができず、光度が低くなるなど、改善の必要がある。
【考案の開示】
【考案が解決しようとする課題】
【０００３】
本考案の第1の目的は、遮りがなく、且つ集光及び散光の効果のあるソケットの改良構造を提供することにある。
【０００４】
本考案の第2の目的は、ランプの温度を下げ、且つランプに最も近いベストなライトアウトプットポイントは、有効的に光度を増し、使用効率を上げることで、省エネソケットの構造を提供することにある。
【課題を解決するための手段】
【０００５】
上述の目的を解決するために、本考案の一態様によるソケットの構造は、金属片、嵌合部、第1及び第2座体を備え、
前記金属片は円管部を有し、該円管部に開口部を備え、前記円管部は該開口部の二つのフリーエンドよりそれぞれ弾片が一枚ずつ延伸し、各弾片上にはそれぞれ穴を有し、各弾片の穴は、外向きに曲折した曲折片を形成し、各弾片のフリーエンドはそれぞれアーチ部を備え、
前記嵌合部の内部周囲に若干の溝を設け、該嵌合部の内部、底面に近い部分に平面を形成し、該平面に前記金属片を固定する際に使用する若干の穴を設け、
前記第１座体の底面の各金属片の円管部に対応した場所に、それぞれ金属の突起部を設け、該金属の突起部を前記金属片のアーチ部に差込み、該第１座体の外周に数個の凸円を設け、各凸円はそれぞれ前記嵌合部の溝に嵌合し、前記第１座体のもう片側に平面部を有し、該第１座体の頂面は適度な角度をなすソケットを形成し、該ソケットはU字型ランプを差し込む数個の挿入口を有し、
前記第２座体の底面の各金属片の円管部に対応した場所に、それぞれ金属の突起部を設け、該金属の突起部を該金属片のアーチ部に差込み、該第２座体の外周に数個の凸円を設け、各凸円はそれぞれ前記嵌合部の溝に嵌合し、第２座体の前記第１座体の平面部に対応した部分にも平面部を有し、前記二つの平面は互いに支え合い、前記第２座体の頂面は適度な角度を成すソケットを形成し、該ソケットはU字型ランプを差し込む数個の挿入口を備えている。
【考案の効果】
【０００６】
本考案は、良好に光を散光、集光することができるだけでなく、有効的にランプの温度を低く保ち、光の光度を増し、使用効率を高めるなど、省エネを達成することができる利点を有する。
【考案を実施するための最良の形態】
【０００７】
本考案実施例の構造を明確に示すために図に沿って詳細な説明を行う。
【０００８】
図1から図9に示すものは、第１実施例のソケット構造であり、数枚の金属片10、嵌合部20、第１及び第２座体30、40を有して構成されている。
【０００９】
図7及び図8に示すものは、数枚の金属片10であり、該金属片は円管部11を有し、該円管部11に開口部12を備えている。該円管部11は、前記開口部12の二つのフリーエンドよりそれぞれ弾片13が一枚ずつ延伸している。前記弾片13上には、それぞれ穴131を有し、各弾片13のこれらの穴131     は、外向きに曲折した曲折片14を形成している。前記弾片13のフリーエンドは、それぞれアーチ部132を有し、二枚の弾片のアーチ部132は対応している。
【００１０】
図1及び図4に示すものは嵌合部20であり、該嵌合部20は円形を呈し、該嵌合部20の内部、底面に近い部分に平面21を形成し、該平面21に若干の穴22を設け、該穴22は前記金属片10を固定する際に使用する。前記嵌合部20の内部周囲には、若干の溝23を設けてある。
【００１１】
図9に示すのは、第１座体30であり、該第１座体30は半円形を呈し、該第一座体30の底面の各金属片10の円管部11に対応した場所に、それぞれ金属の突起部31を設けている。前記金属の突起部31は、前記金属片10のアーチ部132に差込むようになっている。前記第１座体30の外周には数個の凸円32を設け、各凸円32はそれぞれ前記嵌合部20の溝23に嵌合するようになっている。また、前記第１座体30のもう片側に平面部33を有し、該平面部33にスライドブロック(未記載)及びスライド溝332(図3参照)を設置している。前記第１座体30の頂面は、適度な角度を成すソケット34を形成し、該ソケット34はU字型ランプ50を差し込む数個の挿入口341を有している。
【００１２】
図9に示すものは第２座体40であり、該第２座体40は半円形を呈し、該第２座体40の底面の各金属片10の円管部11に対応した場所に、それぞれ金属の突起部41を設けている。前記金属の突起部41は、前記金属片10のアーチ部132に差込まれるようになっている。前記第２座体40の外周には数個の凸円42を設け、各凸円42はそれぞれ前記嵌合部20の溝23に嵌合するようになっている。また、前記第２座体40の前記第１座体30の平面部33に対応した部分にも平面部43を有し、該平面部43にスライドブロック431及びスライド溝332(図3参照)を設置するようになっている。前記第１座体30と第２座体40とは、それぞれの対応するスライドブロック431及びスライド溝332、432を使って定置に設置される(図2参照)。前記第２座体40の頂面は、適度な角度を成すソケット44を形成し、該ソケット44はU字型ランプ50を差し込む挿入口441を有している。
【００１３】
図7及び図8に示すものは、前記金属片10の円管部11の外周に穴111を有し、前記円管部11の穴111は、外向きに曲折した曲折片112を形成している。
【００１４】
上述の各部材を組合せて構成するソケットを図1から図9を参照して説明する。ユーザーが本実施の形態のソケットを組み立てる際、まず各金属片10を嵌合部20の溝22に設置し、第１座体30と第２座体40の間にある、互いに対応するスライドブロック4313及びスライド溝332、432を利用してセットする(図2参照)。次に、前記第１座体30と第２座体40の凸円32、42を前記嵌合部20にある溝23に合わせ、該嵌合部20に向けて第１、第２座体30、40を組み立て、且つ第１、第２座体30、40の金属の突起部41を前記金属片10のアーチ部132の内側にセットする。そして、ユーザーは、前記第１、第２座体30、40を回すことで、前記第１、第２座体30、40の底面にある金属の突起物31、41を金属片10のアーチ部132に沿って、二枚の弾片部13の間に入れ、最後に前記金属片10の円管部11の内側に入れため、前記第１、第２座体30、40を固定する。
【００１５】
使用する際は、図9に示すように、U字型ランプ50をソケット34、44の挿入口341、441に設置することにより、遮りがなく、集光及び散光の効果を得ることができる。
【００１６】
ソケット34、44は適切な角度を有するため、光が遮られる問題がないゆえ、温度が集中し、拡散しにくいためにランプの温度が高くなるなどの欠点を改善するだけでなく、ランプの温度を有効的に下降させ、且つランプのベストなライトアウトプットポイントに近づけるため、有効的に照度を高くし、使用効率を高め、省エネにもつながる。
【００１７】
図10から図13に示すものは、本考案の第２実施例から第５実施例の外観略図である。本考案は前述の第一実施例のソケット形態のほか、図9、図10、図11に示すように、ランプの本数が異なる組み合わせを行うことが可能である。
【図面の簡単な説明】
【００１８】
【図１】本考案の第１実施例を示す立体分解略図である。
【図２】本考案の第１実施例を示す立体組立略図である。
【図３】本考案の第１実施例の立体分解略図である。
【図４】本考案の第１実施例における座体を示す外観略図である。
【図５】本考案の第１実施例における座体の断面略図である。
【図６】本考案の第１実施例の組立後の底面略図である。
【図７】本考案の第１実施例における金属片を示す外観略図である。
【図８】本考案の第１実施例における金属片を示す断面略図である。
【図９】本考案の第一実施例のU字型ランプ設置の外観略図である。
【図１０】本考案の第２実施例の外観略図である。
【図１１】本考案の第３実施例の外観略図である。
【図１２】本考案の第４実施例の外観略図である。
【図１３】本考案の第５実施例の外観略図である。
【符号の説明】
【００１９】
10  金属片    
11  円管部    
111  穴      
112  折片    
12  開口部    
13  弾片部    
131  穴        
132  アーチ部  
14  折片        
20  嵌合部      
21  平面        
22  穴          
23  溝          
30  第一座体    
31  金属の突起物  
32  凸円          
33  平面部        
332  スライド溝      
34  ソケット        
341  挿入口          
40  第二座体        
41  金属の突起物    
42  凸円            
43  平面部          
431  スライドブロック    
432  スライド溝        
44  ソケット              
441  挿入口    
50  U字型ランプ  
【図１】
0003129033.tif 000003
【図２】
0003129033.tif 000004
【図３】
0003129033.tif 000005
【図４】
0003129033.tif 000006
【図５】
0003129033.tif 000007
【図６】
0003129033.tif 000008
【図７】
0003129033.tif 000009
【図８】
0003129033.tif 000010
【図９】
0003129033.tif 000011
【図１０】
0003129033.tif 000012
【図１１】
0003129033.tif 000013
【図１２】
0003129033.tif 000014
【図１３】
0003129033.tif 000015